(57)【特許請求の範囲】
【請求項１】
販売商品の売上登録を行う複数のＰＯＳレジスタと、
貨幣が金種別に収納される複数の貨幣収納部と、回収用の貨幣が収納される着脱自在の回収カセットと、入金された貨幣を分類して前記複数の貨幣収納部に収納する入金制御手段と、ＰＯＳレジスタからの出金指令に応答して前記複数の貨幣収納部に収納された貨幣を出金する出金制御手段と、回収指令に応答して前記複数の貨幣収納部の貨幣を繰り出して前記回収カセットに収納する回収制御手段と、前記複数の貨幣収納部、回収カセットおよび装置全体の貨幣の在高をそれぞれ記憶して管理する在高管理手段とを有し、当該ＰＯＳレジスタに接続されて貨幣の入出金を自動的に行う貨幣入出金機と、
前記各ＰＯＳレジスタの売上データ及び貨幣入出金機の現金データを収集して集計する売上管理装置と、
を備えた売上管理システムにおいて、
前記貨幣入出金機は、
前記回収カセット内の貨幣金額に関して信頼性をなくす原因となる、予め設定した所定の複数項目の異常を検出する異常検出手段と、
前記回収制御手段による回収の際、前記異常検出手段の異常検出信号を前記在高管理手段に記憶されている回収カセットの在高とともに前記ＰＯＳレジスタを介して前記売上管理装置へ送信する手段と、
を具え、
前記売上管理装置は、
前記回収カセットを装填するカセット装填部と、このカセット装填部に装填された回収カセット内の貨幣を収納回収する貨幣回収部とを有し、前記売上管理装置に接続されて前記装填された回収カセット内の貨幣を金額計数動作を行わないで回収する貨幣回収機と、
この貨幣回収機のカセット装填部にセットされる回収カセットが属するＰＯＳレジスタを識別する識別手段と、
前記識別手段で識別された回収カセットに対応する前記ＰＯＳレジスタからの受信異常検出信号を調べ、異常検出信号がオフの場合は前記貨幣回収機での回収カセットの貨幣収納回収動作を可能にし、前記異常検出信号がオンの場合は前記貨幣回収機での回収カセットの貨幣収納回収動作を不可能にしかつ当該回収カセットの再計数の必要性を表示する制御手段と、
を備えるようにしたことを特徴とする売上管理システム。
【請求項２】
販売商品の売上登録を行う複数のＰＯＳレジスタと、
貨幣が金種別に収納される複数の貨幣収納部と、回収用の貨幣が収納される着脱自在の回収カセットと、入金された貨幣を分類して前記複数の貨幣収納部に収納する入金制御手段と、ＰＯＳレジスタからの出金指令に応答して前記複数の貨幣収納部に収納された貨幣を出金する出金制御手段と、回収指令に応答して前記複数の貨幣収納部の貨幣を繰り出して前記回収カセットに収納する回収制御手段と、前記複数の貨幣収納部、回収カセットおよび装置全体の貨幣の在高をそれぞれ記憶して管理する在高管理手段とを有し、当該ＰＯＳレジスタに接続されて貨幣の入出金を自動的に行う貨幣入出金機と、
前記各ＰＯＳレジスタの売上データ及び貨幣入出金機の現金データを収集して集計する売上管理装置と、
を備えた売上管理システムにおいて、
前記貨幣入出金機は、
前記回収カセット内の貨幣金額に関して信頼性をなくす原因となる、予め設定した所定の複数項目の異常を検出する異常検出手段と、
前記回収制御手段による回収の際、前記異常検出手段の異常検出信号を前記在高管理手段に記憶されている回収カセットの在高とともに前記ＰＯＳレジスタを介して前記売上管理装置へ送信する手段と、
を具え、
前記売上管理装置は、
前記回収カセット内の貨幣の回収の際、前記受信した異常検出信号に基づき各回収カセットの再計数の必要性の有無を表示する再計数表示手段と、
を具えるようにした事を特徴とする売上管理システム。
【発明の詳細な説明】
【０００１】
【発明の属する技術分野】
この発明はＰＯＳシステムを利用した売上管理システムに関し、特にＰＯＳレジスタに貨幣の入出金を自動的に行う貨幣入出金機を接続するとともに、この貨幣入出金機に貯められた貨幣を回収カセットを介して回収する回収機能を有する場合の改良に関する。
【０００２】
【従来の技術】
従来、ＰＯＳ（販売時点情報管理）システムは、例えば特開平３−１５４９９６号公報に示されるように、複数台のＰＯＳレジスタで入力した商品販売データをストアコントローラと称する売上管理装置で収集し、このストアコントローラで商品販売データをレジ係員単位又はＰＯＳレジ番号単位に集計して管理するようになっている。また、各ＰＯＳレジスタでの販売の際に入出金を行う場合は、ドロワの中に保管された貨幣をレジ係員が手処理によって入出金するようにしていた。
【０００３】
また、この従来システムで各ＰＯＳレジスタ内の貨幣を回収する際には、回収処理を行う度にこの回収金額をＰＯＳレジスタにキー入力することによって、この回収金額データをＰＯＳレジスタ内のメモリに記憶するとともに、この回収金額データをストアコントローラに送信するようにしてしていた。この送信された回収金額データは、ストアコントローラで集計される。
【０００４】
一方、回収処理の際に回収した貨幣そのものに関しては、袋などに入れられて回収された後、再計数されてストアコントローラに送られた回収金額データと一致するかどうかの確認作業が行われるようになっている。
【０００５】
すなわち、このＰＯＳシステムにおいては、貨幣の回収金額データはＰＯＳレジスタで入力され、ストアコントローラで収集されるものの、貨幣そのものが前記回収金額データと同じ額だけ回収されたかどうかを確認する必要があり、貨幣が出納室などに回収された時点で再計数しストアコントローラの回収金額データと照合しなくてはならず、確認作業の為だけに多大な工数を費やしていた。
【０００６】
このような手作業で入出金を行うＰＯＳレジスタに対し、近年では、例えば特開平６−２７４７４３号公報に示されるように、現金の入出力を機械（紙幣入出金機および硬貨入出金機）を用いて半自動で行わせるようにしたＰＯＳレジスタが提案されている。このようなＰＯＳレジスタにおいては、ＰＯＳレジスタに紙幣入出金機および硬貨入出金機が連結されており、紙幣入出金機および硬貨入出金機はＰＯＳレジスタからの指令に従って入出金処理を実行する。
【０００７】
この特開平６−２７４７４３号公報に示される紙幣入出金機においては、紙幣収容部として、入金紙幣のうちの釣り紙幣となる千円券、５千円券を収容し、かつ出金時に出金可能な還流スタッカと、機体に対して着脱可能で万円券、二重搬送された千円券及び５千円券を収容可能な収納スタッカを用意し、入金紙幣を出金紙幣として再利用する還流モードと、入金紙幣と出金紙幣とを個別に扱う非還流モードとを任意に切り換えるようにしている。
【０００８】
還流モードが選択された際には、正券の千円券及び５千円券と判別された入金紙幣が還流スタッカに収納され、正券の万円券と判別された入金紙幣が収納スタッカに収納され、また釣り銭となる千円券および５千円券が還流スタッカから出金されると共に、これら紙幣のうちで正券と判別された出金紙幣が出金口から出金されるようになっている。
【０００９】
また、非還流モードが選択された場合は、正券と判別された入金紙幣は全て収納スタッカに収納され、また釣り銭となる千円券及び５千円券は還流スタッカから出金されるとともに、これら出金紙幣のうちで正券と判別された紙幣が出金口から出金されるようになっている。
【００１０】
硬貨入出金機も、出金時の硬貨の正損判別機能がないものの紙幣入出金機とほぼ同様に構成されている。
【００１１】
【発明が解決しようとする課題】
ところで、このような貨幣入出金機を有するＰＯＳレジが備えられたシステムにおいては、着脱自在の収納スタッカによって貨幣を回収するようにしているが、貨幣の入出金処理中でのジャム発生やエラー発生などによりレジ係員が機械の内部を開いて上記の異常に対処することがあるために、収納スタッカの在高に常に絶対的な信頼性があるとすることはできない。このためこのようなシステムにおいては、先の従来例と同様、収納スタッカに収容された貨幣に関しても出納室などで再計数してストアコントローラの回収金額データと照合するようにしていた。すなわちこの従来技術では、ほとんどが信頼できる収納スタッカの内容にもかかわらず常に収納スタッカの収納貨幣を再計数するようにしていたので、事務作業上効率が悪いという問題があった。
【００１２】
この発明はこのような実情に鑑みてなされたもので、回収カセットを介した貨幣回収の際に、回収カセットの中身の再計数動作をできるだけ省略できるようにして出納事務能率の向上を図る売上管理システムを提供する事を目的とする。
【００１３】
【課題を解決するための手段】
この発明では、販売商品の売上登録を行う複数のＰＯＳレジスタと、
貨幣が金種別に収納される複数の貨幣収納部と、回収用の貨幣が収納される着脱自在の回収カセットと、入金された貨幣を分類して前記複数の貨幣収納部に収納する入金制御手段と、ＰＯＳレジスタからの出金指令に応答して前記複数の貨幣収納部に収納された貨幣を出金する出金制御手段と、回収指令に応答して前記複数の貨幣収納部の貨幣を繰り出して前記回収カセットに収納する回収制御手段と、前記複数の貨幣収納部、回収カセットおよび装置全体の貨幣の在高をそれぞれ記憶して管理する在高管理手段とを有し、当該ＰＯＳレジスタに接続されて貨幣の入出金を自動的に行う貨幣入出金機と、
前記各ＰＯＳレジスタの売上データ及び貨幣入出金機の現金データを収集して集計する売上管理装置と、
を備えた売上管理システムにおいて、
前記貨幣入出金機は、前記回収カセット内の貨幣金額に関して信頼性をなくす原因となる、予め設定した所定の複数項目の異常を検出する異常検出手段と、前記回収制御手段による回収の際、前記異常検出手段の異常検出信号（異常フラグ）を前記在高管理手段に記憶されている回収カセットの在高とともに前記ＰＯＳレジスタを介して前記売上管理装置へ送信する手段とを具え、
前記売上管理装置は、前記回収カセットを装填するカセット装填部と、このカセット装填部に装填された回収カセット内の貨幣を収納回収する貨幣回収部とを有し、前記売上管理装置に接続されて前記装填された回収カセット内の貨幣を金額計数動作を行わないで回収する貨幣回収機と、この貨幣回収機のカセット装填部にセットされる回収カセットが属するＰＯＳレジスタを識別する識別手段と、前記識別手段で識別された回収カセットに対応する前記ＰＯＳレジスタからの受信異常検出信号を調べ、異常検出信号がオフの場合は前記貨幣回収機での回収カセットの貨幣収納回収動作を可能にし、前記異常検出信号がオンの場合は前記貨幣回収機での回収カセットの貨幣収納回収動作を不可能にしかつ当該回収カセットの再計数の必要性を表示する制御手段とを備えるようにした。
【００１４】
かかる発明によれば、貨幣入出金機側で回収カセットの中身の信頼性をなくす原因となる異常が発生した場合は、これを検出して異常フラグを立てておき、回収カセットの回収（離脱）の際、この異常フラグを回収カセットの在高とともに前記ＰＯＳレジスタを介して前記売上管理装置へ送信する。
【００１５】
売上管理装置側では、回収カセットの貨幣を貨幣回収機に回収する際に前記異常フラグを参照して当該回収カセットの信頼性を判定し、信頼できる場合は貨幣回収機での回収カセットの貨幣収納回収動作を可能にし、信頼できない場合は貨幣回収機での回収カセットの貨幣収納回収動作を不可能にしかつ当該回収カセットの再計数の必要性を表示するようにする。
【００１６】
またこの発明では、販売商品の売上登録を行う複数のＰＯＳレジスタと、
貨幣が金種別に収納される複数の貨幣収納部と、回収用の貨幣が収納される着脱自在の回収カセットと、入金された貨幣を分類して前記複数の貨幣収納部に収納する入金制御手段と、ＰＯＳレジスタからの出金指令に応答して前記複数の貨幣収納部に収納された貨幣を出金する出金制御手段と、回収指令に応答して前記複数の貨幣収納部の貨幣を繰り出して前記回収カセットに収納する回収制御手段と、前記複数の貨幣収納部、回収カセットおよび装置全体の貨幣の在高をそれぞれ記憶して管理する在高管理手段とを有し、当該ＰＯＳレジスタに接続されて貨幣の入出金を自動的に行う貨幣入出金機と、
前記各ＰＯＳレジスタの売上データ及び貨幣入出金機の現金データを収集して集計する売上管理装置と、
を備えた売上管理システムにおいて、
前記貨幣入出金機は、前記回収カセット内の貨幣金額に関して信頼性をなくす原因となる、予め設定した所定の複数項目の異常を検出する異常検出手段と、前記回収制御手段による回収の際、前記異常検出手段の異常検出信号を前記在高管理手段に記憶されている回収カセットの在高とともに前記ＰＯＳレジスタを介して前記売上管理装置へ送信する手段とを具え、
前記売上管理装置は、前記回収カセット内の貨幣の回収の際、前記受信した異常検出信号に基づき各回収カセットの再計数の必要性の有無を表示する再計数表示手段とを具えるようにした。
【００１７】
係る発明では、貨幣入出金機側で回収カセットの中身の信頼性をなくす原因となる異常が発生した場合は、これを検出して異常フラグを立てておき、回収カセットの回収（離脱）の際、この異常フラグを回収カセットの在高とともに前記ＰＯＳレジスタを介して前記売上管理装置へ送信する。
【００１８】
売上管理装置側では、前記回収カセット内の貨幣の回収の際、前記受信した異常フラグに基づき各回収カセットの再計数の必要性の有無を表示する。したがってこの場合、係員は、かかる表示を参考にして、必要な回収カセットのみを再計数するようにすればよい。
【００１９】
【発明の実施の形態】
以下この発明の実施例を添付図面に従って詳細に説明する。
【００２０】
図２は百貨店、スーパー、コンビニエンスストア、ガソリンスタンドなどに設置されるＰＯＳシステムの全体構成を示すもので、１は各売り場に設置されて販売商品データの入力および現金などの入出金処理を行うＰＯＳレジスタであり、これらＰＯＳレジスタ１には、紙幣の自動入出金処理を実行する紙幣入出金機２と、硬貨の自動入出金処理を実行する硬貨入出金機３とがそれぞれ接続されている。
【００２１】
各ＰＯＳレジスタ１はファイルコントローラ４に接続されており、ファィルコントローラ４は各ＰＯＳレジスタ１、１，…からＰＯＳデータ（販売商品データ）を収集する。
【００２２】
ストアコントローラ５は、ファイルコントローラ４で収集されたＰＯＳデータを集計して店全体の売上分析処理などを行う。
【００２３】
ＰＯＳレジスタ１に貯められた売上金は、１日に何回か回収されるようになっており（出納担当者がレジにある紙幣類を防犯のために途中回収する途中回収と、店の閉店後に行われる集金回収とがある）、回収カセット６が用いられるようになっている。
【００２４】
すなわち、この回収カセット６は、この場合、紙幣入出金機２に着脱自在に設けられ、回収処理を行った際、紙幣入出金機２に貯められた紙幣の一部または全てがこの回収カセット６内に回収されるようになっている。
【００２５】
貨幣回収機７は、店の出納室等に設けられ、回収カセット６によって回収された貨幣を計数しないで回収するものである。貨幣回収機７での回収カセット６の装填の可能／不可能はストコントローラ５によって切り換えられる。
【００２６】
なお、図２のシステム構成では、図示は省略したが、本システムには、回収された貨幣を計数して回収することができる通常の計数機能付きの貨幣回収機も備えられている。
【００２７】
図３は、紙幣入出金機２および硬貨入出金機３を備えたＰＯＳレジスタ１の外観構成例を示すもので、図４はそれらの概念的内部構成例を示すものである。
【００２８】
図３において、レジ台１０の右方には紙幣入出金機２が設けられ、その左方には硬貨入出金機３が設けられ、これらの上にＰＯＳレジスタ１が配置されるようになっている。
【００２９】
図３において、ＰＯＳレジスタ１は、操作キー群１１、係員用表示部１２、顧客用表示部１３、顧客から受け取った現金を顧客に見えるように一時的に載置するための貨幣載置部１４、レシート発行口１５等を有している。また、図４に示すように、ＰＯＳレジスタ１は、レシートを印刷するためのプリンタ１６、ファイルコントローラ４を介してストアコントローラ５とＰＯＳデータを通信するための通信部１７、商品に付されたバーコードを読み取るバーコードリーダ１８、および制御部１９などを有している。
【００３０】
紙幣入出金機２は、図３に示すように、その外面には、紙幣入金口２０、紙幣出金口２１、テンキータイプの操作部２２、表示パネル２３、前扉２４、モード切替えのためのキー挿入口２５を有している。
【００３１】
また、紙幣入出金機２は、図４に示すように、紙幣入金口２０から搬入された紙幣の金種、正損などを識別する入金識別部２６と、紙幣搬送路２７と、入金識別部２６で紙幣として認識できないリジェクト紙幣が収納されるリジェクトボックス２８と、出金紙幣の金種などを識別する出金識別部２９と、釣り銭となる千円紙幣を収容しかつ出金または回収処理の際この千円紙幣を搬出する第１還流スタッカ３０と、釣り銭となる５千円紙幣を収容しかつ出金または回収処理の際この５千円紙幣を搬出する第２還流スタッカ３１と、第１又は第２還流スタッカ３０，３１でオーバーフローした千円券，５千円券、釣り銭とならない万円券、および回収処理によって第１および第２還流スタッカ３０，３１から回収した千円券，５千円券を収納する着脱自在の回収カセット６と、回収カセット６の着脱状態を検出する回収カセット検出器３３と、回収カセット６内の紙幣の有無を検出する回収カセット紙幣検出センサ３４と、操作部３５と、制御部３６とを有している。
【００３２】
回収カセット６には、図３に示すように、取っ手３７、カギ孔３８、シャッタ３９が備えられており、装置から離脱されたされた際は金庫性を有するようになっている。
【００３３】
図５に、紙幣入出金機２の制御部３６などのより詳細な構成を示す。
【００３４】
図５において、第１還流スタッカ３０、第２還流スタッカ３１および回収カセット６は、各出入り口で紙幣の通過を検出するセンサ４０〜４２と、紙幣の搬送などを行う駆動手段４３〜４５をそれぞれ具えている。また、リジェクトボックス２８にも出入り口で紙幣の通過を検出するセンサ４６が備えられている。
【００３５】
制御部３６内は、ＲＯＭ５０、ＲＡＭ５１、入金制御部５２、出金制御部５３、回収制御部５４、累積回収在高管理手段５７、異常回収在高管理手段５８を有する在高管理制御部５６、在高メモリ５９、エラー処理制御部６０などを具えている。これら制御部３６内の構成要素の詳細は後述する。
【００３６】
また、図５において、６１は紙幣を搬送する搬送装置であり、６２は紙幣搬送路の各所に設けられて紙幣の通過を検出する通過検知センサである。
【００３７】
次に、硬貨入出金機３は、図３に示すように、その外面には、硬貨入金口７０、硬貨出金口７１を有し、その内部構成は図４に示すようになっている。
【００３８】
すなわち、硬貨入出金機３には、硬貨入金口７０から搬入された紙幣の金種、正損などを識別する入金識別部７２と、搬送されてきた硬貨をその形状などに選別する選別部７３と、硬貨６種類を金種別に収納する金種別収納部７４と、制御部７５とを有している。
【００３９】
このような構成のＰＯＳレジスタにおいては、紙幣入出金機２の前面に設けられたキー挿入口２５にキーを差し込んで、これを回転させることにより４種のモード（オペレーションモード、メンテナンスモード、回収モード、補充モード）が切り換えられるようになっている。
【００４０】
オペレーションモードは、通常の営業時間中に使用するモードであり、メンテナンスモードはエラー発生時などに内部のユニットを引き出す際に用いるモードであり、回収モードは閉店時や開店途中に紙幣を回収する際に用いるモードであり、補充モードは始業時や釣り銭空のときに貨幣を補充するモードである。
【００４１】
〔オペレーションモード〕
［出金の場合］
このオペレーションモードの際、ＰＯＳレジスタ１から釣り銭の投出指令が入力されると、貨幣入出金機２の制御部３６の出金制御部５３は、千円紙幣を要するときは第１還流スタッカ３０から出金させ、５千円紙幣を要する際には第２還流スタッカ３１から出金させる。これら還流スタッカ３０，３１から出金された紙幣は、紙幣搬送路２７を経由して紙幣出金口２１に投出される。
【００４２】
また、同様に硬貨入出金機に３に対し、ＰＯＳレジスタ１から釣り銭の投出指令が入力されると、硬貨入出金機３の制御部７５は、所要の硬貨を金種別収納部７４から出金させ、該出金させた硬貨を硬貨出金口７１に投出させる。
【００４３】
［入金の場合］
紙幣入出金機２の紙幣入金口２０に入金がなされた場合は、制御部３６の入金制御部５２によって入金制御が行われる。すなわち、まず、入金識別部２２によってその金種、正損が識別される。正常と判断された万円券は、一旦第２還流スタッカ３１に送り込まれた後繰り出され、回収カセット６に送り込まれる。また、千円券は第１還流スタッカ３０に送り込まれ、また５千円券は第２還流スタッカ３１に送り込まれる。なお、第１及び第２還流スタッカ３０，３１においては、紙幣が満杯であるか否かが判定され、満杯である場合、千円券及び５千円券はこれら各還流スタッカ３０，３１を経由して回収カセット６に送り込まれるようになっている。また、入金識別部２２で正常と判断されなかった紙幣については、リジェクトボックス２８に送られる。
【００４４】
硬貨入出金機３の硬貨入金口７０に入金がなされた場合は、入金識別部７２によってその金種、正損が識別され、正常と判断された場合は、選別部７３で金種別に選別された硬貨が対応する収納部７４に収納される。
【００４５】
〔補充モード〕
補充モードの際は、紙幣入出金機２の紙幣入金口２０に補充された紙幣は、入金識別部２２によってその金種、正損が識別され、正常と判断された紙幣が金種に応じて第１，第２還流スタッカ３０，３１および回収カセット６の何れかに送られる。なお、補充モードの際には、入金識別部２２で正常と判断されなかった紙幣は、紙幣出金口２１に送られる。
【００４６】
また、硬貨入出金機３の硬貨入金口７０に補充入金がなされた場合は、入金識別部７２によってその金種、正損が識別され、正常と判断された場合は、選別部７３で金種別に選別された硬貨が対応する収納部７４に収納される。
【００４７】
〔メンテナンスモード〕
図３に示す回収カセット６は、前扉２４が閉じられて機械２に装填されているときはその上面のシャッタ３９が開放されて回収カセット６の上面から紙幣が搬入できるようになっているが、このシャッタ３９は前扉２４が開かれて機械２から離脱される際には、図３に示すように閉じられてロックされるようになっている。
【００４８】
メンテナンスモードを選択した際には、貨幣入出金機２の内部ユニット全体を引き出せるようになっており、エラー発生のときなどに、回収カセット６のシャッタ３９および第１及び第２還流スタッカ３０，３１用の扉（図示せず）は閉鎖且つロックされて内部の紙幣に手を触れる事ができないようになっている。
【００４９】
〔回収モード〕
この回収モードは、閉店時や開店途中に紙幣を回収する際に用いられる。回収モードが選択された際には、第１および第２還流スタッカ３０，３１内の紙幣の一部または全てが回収カセット６まで搬送されて収納される。なお、回収処理の際、第１および第２還流スタッカ３０に残しておく残値額は任意に設定することができる。
【００５０】
回収分が回収カセット６に収納されると、オペレータは紙幣入出金機２の前扉２４を開け、回収カセット６のシャッタ３９を閉めた後、回収カセット６を機械２から離脱する。この離脱された回収カセット６は図２の貨幣回収機７まで運ばれ、回収される。
【００５１】
以上がＰＯＳレジスタ部分の概略である。
【００５２】
図６は、出納室などに配置される貨幣回収機７及びストアコントローラ５の外観構成を示すものである。
【００５３】
貨幣回収機７は、図７にも示すように、ＰＯＳレジスタ１の紙幣入出金機２から離脱された回収カセット６をセット（上面のシャッタ３９側を下にしてセット）して紙幣を回収するための回収カセット装填部８０と、回収カセット６の装填の可能／不可能を切り換えるロック部８１（このロック部８１がロック状態になければ回収カセット６を装填できる）と、回収機７内に内蔵されて回収カセット６から落下した紙幣を回収する紙幣回収部８２と、ＰＯＳレジ番号および係員ＩＤ番号などを入力するための置数キー８３と、メッセージを表示する表示部８４と、制御部８５とを有している。
【００５４】
この貨幣回収機は７は、回収カセット６内の紙幣を実際に機械で計数することなく一括して回収するものであり、置数キー８３でＰＯＳレジ番号および係員ＩＤ番号などを入力することにより、どの紙幣入出金機２の回収カセットがセットされたかなどを特定する。
【００５５】
ストアコントローラ５は、キーボード８６，ディスプレイ８７、制御部本体８８などで構成され、ファイルコントローラ４の他に、貨幣回収機７にも接続されており、通常のＰＯＳデータの集計制御の他に次のような制御を行う。
【００５６】
すなわち、ストアコントローラ５は、後述のカセット在高異常信号（カセット在高異常フラグＦ）を送信してきたＰＯＳレジスタの回収カセット６が貨幣回収機７にセットされる場合は、貨幣回収機７のロック部８１を作動させて回収カセット６の装填ができないように制御するとともに、その旨を貨幣回収機７の表示部８４に表示させるようにする。
【００５７】
次に、本発明の要部に関して説明する。
【００５８】
図８に、各ＰＯＳレジスタ１に接続されている紙幣入出金機２の制御部３６内の在高メモリ５９の記憶データを示す。
【００５９】
すなわち、図８に示すように、千円券が収容されるべき第１還流スタッカ３０の在高Ａに関しては、万円券枚数、５千円券枚数、千円券枚数、リジェクト紙幣枚数、合計金額の項目が備えられており、これら各項目に常に現時点での状態に対応するデータが書き込まれている。
【００６０】
５千円券が収容されるべき第２還流スタッカ３１の在高Ｂに関しても同様であり、万円券枚数、５千円券枚数、千円券枚数、リジェクト紙幣枚数、合計金額の項目が備えられている。
【００６１】
回収カセット６（千円券および５千円券のオーバーフロー紙幣と、万円券と、千円券及び５千円券の回収紙幣が収納される）の在高Ｃに関しても同様であり、万円券枚数、５千円券枚数、千円券枚数、リジェクト紙幣枚数、合計金額の項目が備えられている。
【００６２】
つぎの機内在高（装置在高）Ｄは、第１還流スタッカ３０、第２還流スタッカ３１および回収カセット６に関する各項目データを加算（Ａ＋Ｂ＋Ｃ）したものである。
【００６３】
前回回収在高Ｅは、前回の回収時の回収カセット在高Ｃに対応するもので、回収カセット６の回収処理が行われる度に前回回収在高Ｅの各項目データは、回収処理が行われる直前の回収カセット在高Ｃのデータで更新される。
【００６４】
累積回収在高Ｇは、回収カセット在高Ｃの各項目データを回収処理が行われる度に累積（Ｃ＋Ｃ＋Ｃ＋…）したものであり、通常は閉店後の集計時または始業時にＰＯＳレジスタ１からの指令（この指令の基はストアコントローラ５から）によってリセットされる。
【００６５】
したがって、当該ＰＯＳレジスタ１の１日の売上合計額は、（Ｄ＋Ｇ−釣り銭分）となる。
【００６６】
なお、在高メモリ５９内のデータ更新記憶処理は、制御部３６の在高管理制御部５６によって行われ、特に累積回収在高Ｇに関するデータ更新記憶処理は累積回収在高管理手段５８によって行われる。
【００６７】
また、在高メモリ５９に記憶された各在高データ、すなわち第１還流スタッカ在高Ａ、第２還流スタッカ在高Ｂ、回収カセット在高Ｃ、機内在高、前回回収在高Ｅ、および累積回収在高Ｇは、ＰＯＳレジスタ１を介したオペレータ操作によって所望のものを任意の時点で表示かつ印刷させることができる。
【００６８】
次に、回収カセット在高Ｃ、機内在高Ｄ、前回回収在高Ｅ、累積回収在高Ｇの欄に対し設けられたカセット在高異常フラグＦは、例えば次のようなエラー条件が成立したときにセットされる。
【００６９】
すなわち、エラー処理制御部６０においては、図９に示すような手順でカセット在高異常フラグＦをセットする。
【００７０】
エラー処理制御部６０においては、装置稼働中、各種のエラーを常時検出しており、そのなかで例えば下記４つの条件のうちの何れかが成立すると、その時点で在高メモリ５９の回収カセット在高Ｃおよび機内在高Ｄの欄のカセット在高異常フラグＦC，ＦDをオンにする（ステップ４００、４１０）。
【００７１】
(1)出金識別部２９での識別結果が異常である（第１還流スタッカ３０から繰り出された紙幣が千円券ではない、第２還流スタッカ３１から繰り出された紙幣が５千円券ではないなど）
(2)回収処理の際、第１及び第２還流スタッカ３０，３１から繰り出した枚数と回収カセット６で回収した枚数が異なる
(3)回収処理中に停電が生じた
(4)回収モード以外のときに、回収カセット検出器３３で回収カセットの着脱が検出された。
【００７２】
すなわち、上記の何れかの条件が成立した場合は、在高メモリ３２に記憶された回収カセット在高Ｃのデータに関して絶対的な信頼性はないものとして、異常フラグＦC，ＦDをオンにする。逆に言えば、カセット在高異常フラグＦCがオンになっていない限り、その回収カセット在高Ｃに関して信頼性があるものとすることができる。
【００７３】
上記４つの何れかのエラーが検出されると、エラー処理制御部６０では、当該エラーに対応した所定のエラー処理を実行する（ステップ４２０）。
【００７４】
なお、回収カセット在高Ｃの欄のカセット在高異常フラグＦCがオンされるときには、機内在高Ｄ欄の在高異常フラグＦDも同時にオンされる。また、これら回収カセット在高Ｃおよび機内在高Ｄ欄の異常フラグＦC，ＦDは、回収処理が行われる度にリセットされる。これに対し、累積回収在高Ｇの欄の異常フラグＦGは、複数回の回収処理間に一度でもフラグオンになると、ＰＯＳレジスタ１からの指令（この指令の基はストアコントローラ５から）によってリセットされるまで、オン状態を維持する。
【００７５】
つぎに、図１のフローチャートに従って紙幣入出金機２で行われる回収処理について説明する。
【００７６】
まず、開店中に行われる途中回収や閉店後などに行われる貨幣回収の際、現金管理者は所定のキーを紙幣入出金機２のキー挿入口２５に差し込んで回収モードを選択する。これにより、第１および第２還流スタッカ３０，３１にある紙幣が繰り出され、回収カセット６に収納される（ステップ１００）。
【００７７】
この回収動作の際に、ジャムなどの異常が発生した場合は、所定のエラー処理が行われる（ステップ１１０）。
【００７８】
次に、現金管理者は、紙幣入出金機２の前扉２４を開けて回収カセット６を装置から離脱させる。
【００７９】
紙幣入出金機２の在高管理制御部５６は、回収カセット検出器３３の検出信号により回収カセット６の離脱を検出すると（ステップ１２０）、在高メモリ５９の回収カセット在高Ｃを累積回収在高Ｇに加算し、この加算結果（Ｃ＋Ｇ）で累積回収在高Ｇのデータを更新するとともに（ステップ１３０）、現在の回収カセット在高Ｃの各データを前回回収在高Ｅにコピーする（ステップ１４０）。さらに、機内在高Ｄの各データから現在の回収カセット在高Ｃの各データを減算し、この減算結果で機内在高Ｄの各データを更新する。
【００８０】
次に、在高管理制御部５６は、在高メモリ５９の回収カセット在高Ｃまたは機内在高Ｄの欄の異常フラグＦC，ＦDがオンであるかオフであるかを判定する（ステップ１５０）。前述したように、エラー処理制御部６０においては、前記４つのエラーのうちの何れかが検出された場合、その時点で在高メモリ５９の回収カセット在高Ｃまたは機内在高Ｄの欄の異常フラグＦC，ＦDがオンされるようになっている。
【００８１】
在高管理制御部５６は、前記回収カセット在高Ｃまたは機内在高Ｄの欄の異常フラグＦC，ＦDがオンの場合は、累積回収在高Ｇおよび前回回収在高Ｅの欄の異常フラグＦE，ＦGをセット（オン）し（ステップ１６０、１７０）、前記回収カセット在高Ｃまたは機内在高Ｄの欄の異常フラグＦCまたはＦDがオフの場合は、前回回収在高Ｅの欄の異常フラグＦEのみをクリアする（ステップ１８０）。したがって、累積回収在高Ｇの欄の異常フラグＦGは回収処理の際１回でもセットされると、その後リセットされるまでセット状態を維持する。
【００８２】
さらに、在高管理制御部５６は、回収カセット在高Ｃおよび機内在高Ｄの欄の異常フラグＦC，ＦDをクリアするとともに、回収カセット在高Ｃの各項目データをクリアする（ステップ１９０，２００）。
【００８３】
その後、紙幣入出金機２の制御部３６は、回収カセット検出器３３の検出信号によって回収カセット６が再装填（別に用意にしたカセットまたは回収が終了して同じカセット）された事を検出すると（ステップ２１０）、回収カセット紙幣検出センサ３４の出力によって回収カセット６内の残留紙幣の有無を検出し（ステップ２２０）、残留紙幣がない場合はこれで回収モードを終了する。
【００８４】
しかし、回収カセット６に残留紙幣がある場合は、紙幣入出金機２の表示部２３にその旨を示すエラーメッセージを表示する（ステップ２３０）。この場合は、回収カセット６が抜き取られて残留紙幣がない回収カセット６が再装填されると、回収モードを終了する事ができる（ステップ２４０、２１０、２２０）。
【００８５】
次に、貨幣回収機７での貨幣回収処理について説明する。
【００８６】
図１０は、ストアコントローラ５内のＰＯＳデータ記憶メモリの記憶フォーマットの一部を示すもので、このＰＯＳデータ記憶メモリには、ＰＯＳレジ番号及び係員ＩＤ番号別に、残値額、売上げ額、回収額等に関するデータ及びカセット在高異常フラグＦが記憶されるようになっている。
【００８７】
残値額は、ＰＯＳレジスタ１での回収カセット６の回収処理の度に、第１および第２還流スタッカ３０，３１に残す合計額を示すもので、この額は任意に設定することができる。すなわち、一旦設定すればこの残値額は固定である。
【００８８】
売上げ額および回収額は、ストアコントローラ５の要求に応答してまたは定期的に各ＰＯＳレジスタ１から送られてくるデータである。
【００８９】
また、カセット在高異常フラグＦを記憶するエリアは、各ＰＯＳレジスタ１から送られてくる先の図８に示した前回回収在高Ｅの異常フラグＦEを記憶するもので（回収カセット在高Ｃの異常フラグＦCは回収カセット抜き取り時にリセットされるので）、この異常フラグＦEは、例えば、貨幣回収機７で回収カセット６の紙幣回収が行われる際に、ストアコントローラ５からの要求に応答してＰＯＳレジスタから送信されるようになっている。
【００９０】
以下、図１１のフローチャートに従って貨幣回収機７での紙幣回収処理について説明する。
【００９１】
まず、現金管理者は、貨幣回収機７の置数キー８３を操作してＰＯＳレジ番号及び係員ＩＤ番号を入力する。
【００９２】
貨幣回収機７の制御部８５は、ＰＯＳレジ番号及び係員ＩＤ番号の入力を確認すると（ステップ３００）、入力されたＰＯＳレジ番号に対応するＰＯＳレジスタ１に対し、在高メモリ５９に記憶された前記異常フラグＦE、前回回収在高Ｅ、累積回収在高Ｇ、機内在高Ｄなどのデータの送信を要求する（ステップ３１０）。
【００９３】
該送信要求を受け取ったＰＯＳレジスタ１は、接続された紙幣入出金機２に対しその旨を要求する。紙幣入出金機２では、図８に示す在高メモリ５９内の必要なデータおよび異常フラグＦEを読み出し、これらをＰＯＳレジスタ１を介してストアコントローラ５に送信する。
【００９４】
ストアコントローラ５では、これらのデータを受信すると（ステップ３２０）、受信した異常フラグＦEおよび各種在高データを図１０に示したＰＯＳデータ記憶メモリに記憶すると共に、受信した異常フラグＦEのオンオフ状態を判定する（ステップ３３０）。
【００９５】
そして、異常フラグＦEがオフである場合は、貨幣回収機７のロック部８１をロック解除状態にし（ステップ３４０）、回収カセット６をカセット装填部８０に装填できる状態にする。この場合は、その後、回収カセット６がカセット装填部８０にセットされると、通常の紙幣回収処理を実行する（ステップ３５０、３６０）。
【００９６】
しかし、異常フラグＦEがオンである場合、ストアコントローラ５は、貨幣回収機７のロック部８１をロックオン状態にし、回収カセット６をカセット装填部８０に装填できない状態にするとともに（ステップ３７０）、貨幣回収機７の表示部に８４にこの回収カセットは再計数が必要である旨を表示する（ステップ３８０）。
【００９７】
なお、再計数が必要である旨が表示された場合、係員は別の計数機能付き貨幣回収機を用いて回収カセット内の貨幣を再計数するようにする。
【００９８】
このようにこの実施例によれば、累積回収在高Ｇを記憶するようにし、これを必要に応じて適宜表示且つ印刷できるようにしたので、１日に何回も回収処理が行われるような状況下でも、常に各時点における累積回収額を容易に把握することができる。
【００９９】
またこの実施例では、回収カセット６の中身の信頼性をなくす異常が発生した場合は、これを検出して異常フラグを立てておき、回収カセットの貨幣を貨幣回収機に回収する際に前記異常フラグを参照して当該回収カセットの信頼性を判定し、信頼できる場合は計数を行わない貨幣回収機で回収処理を行い、信頼できない場合は別の紙幣回収機で再計数を行って回収処理を行うようにしているので、出納事務の能率向上を図ることができる。
【０１００】
なお、実施例では回収処理の際に、紙幣類のみを回収するようにしたが、硬貨類も回収するようにしても良い。この場合、硬貨回収機３にも、上記実施例の紙幣回収機２と同様の機能を持たせ、硬貨の累積回収額を記憶且つ表示できるようにしてもよい。また、硬貨回収用にも異常フラグを設け、この異常フラグを参照して硬貨用回収カセット内の中身の計数の必要性の有無を切り換えるようにしてもよい。
【０１０１】
また、上記実施例では、貨幣回収機７で回収カセット６内の貨幣を回収する際に、ＰＯＳレジスタ１の紙幣入出金機２内の在高メモリ５９内のデータ及び異常フラグＦをストアコントローラ５に送信するようにしたが、これらデータ及び異常フラグＦを定期的に送信するようにしても良く、さらには紙幣入出金機２での回収処理の際に送信するようにしても良い。
【０１０２】
更に上記実施例では、異常フラグＦの状態に応じて貨幣回収機７のカセット装填部８０をロックオン／ロックオフするようにしたが、貨幣回収機７がないシステムではつぎのような構成を採用することもできる。
【０１０３】
すなわち、ＰＯＳレジスタ１側では回収モードの際に、異常フラグＦをストアコントローラ５に送信する。ストアコントローラ５では、受信した異常フラグのオン／オフ状態を参照することにより、当該回収カセット内の貨幣の再計数の必要性の有無を回収処理が行われる度にストアコントローラ５の表示部８７に表示するようにする。したがってこの場合、係員は、かかる表示を参考にして、必要な回収カセットのみを再計数するようにすればよい。
【０１０４】
さらに、上記実施例では、貨幣回収機７において、ロック部８１により回収カセット６の装填の可能／不可能を切り換えることにより貨幣回収動作の可能／不可能を切り換えるようにしたが、例えば貨幣回収機構の作動／非作動を切り換えるなどの他の手法を用いて貨幣回収動作の可能／不可能を切り換えるようにしてもよい。
【０１０５】
【発明の効果】
以上説明したようにこの発明によれば、紙幣入出金機側で回収カセットの中身の信頼性をなくす異常が発生した場合にのみ非計数型貨幣回収機側での回収カセット貨幣収納回収動作を不可能にし、紙幣入出金機側で前記異常が発生しない場合は非計数型貨幣回収機側での回収カセット貨幣収納回収動作を実行させるようにしたので、前記異常が発生しない限り非計数で回収カセット内の貨幣を回収できるようになり、出納事務能率を大幅に向上させる事ができる。
【０１０６】
またこの発明では、売上管理装置は紙幣入出金機側から受信した異常フラグに基づいて各回収カセットの再計数の必要性の有無を表示するようにしたので、該表示を参考にして必要な回収カセットのみを再計数するようにすれば、従来のように全ての回収カセットない貨幣の再計数動作を行うことがなくなり、出納事務能率を大幅に向上させる事ができる。
【図面の簡単な説明】
【図１】紙幣入出金機での回収カセット回収時の制御部での動作例を示すフローチャート。
【図２】この発明を適用するＰＯＳシステムの全体構成を示すブロック図。
【図３】貨幣入出金機付きＰＯＳレジスタの外観構成を示す図。
【図４】貨幣入出金機付きＰＯＳレジスタの内部構成を示すブロック図。
【図５】紙幣入出金機の内部構成を示すブロック図。
【図６】ストアコントローラ及び貨幣回収機の外観構成を示す図。
【図７】貨幣回収機の内部構成例を示すブロック図。
【図８】在高メモリの記憶データを示す図。
【図９】紙幣入出金機の異常フラグセット時の動作を示すフローチャート。
【図１０】ストアコントローラに記憶されるＰＯＳデータを示す図。
【図１１】貨幣回収機での貨幣回収処理手順を示すフローチャート。
【符号の説明】
１…ＰＯＳレジスタ
２…紙幣入出金機
３…硬貨入出金機
４…ファイルコントローラ
５…ストアコントローラ
６…回収カセット
７…紙幣回収機
【図１】
0003756996.tif 000002
【図２】
0003756996.tif 000003
【図３】
0003756996.tif 000004
【図４】
0003756996.tif 000005
【図５】
0003756996.tif 000006
【図６】
0003756996.tif 000007
【図７】
0003756996.tif 000008
【図８】
0003756996.tif 000009
【図９】
0003756996.tif 000010
【図１０】
0003756996.tif 000011
【図１１】
0003756996.tif 000012